(57)【要約】【課題】体裁が悪いイメージを払拭する、危険性を回避する、構成を簡易化する及び使用上取り扱いやすくする工夫を施したマグネットクリップを提供する【解決手段】フェライト磁石と、硬質プラスチック製のクリップ本体と、硬質プラスチック製の磁石固定用蓋部材と、表面化粧体とにより構成され、当該クリップ本体には挟持面と反対側の非挟持面に磁石格納用凹部を設けて同挟持面に薄壁部を形成すると共に磁石格納用凹部の開口縁の周囲に上記磁石固定用蓋部材の嵌着用凹部を設け、また当該嵌着用凹部の開口縁面面と磁石固定用蓋部材の周辺には相互に嵌合して同磁石固定用蓋部材を止着する嵌合突起及び嵌合孔を設け、磁石格納用凹部に対する磁石の格納及び嵌着用凹部に対する磁石固定用蓋部材の嵌着及び嵌合孔に対する嵌合突起の嵌着並びに磁石固定用蓋部材の外面と非挟持面に対する表面化粧体の貼着によりクリップ本体内に磁石を固定してなることを特徴とする。【選択図】図３
0003112475.tif 000002
【実用新案登録請求の範囲】
【請求項１】
永久磁石と、硬質プラスチック製のクリップ本体と、硬質プラスチック製の磁石固定用蓋部材と、表面化粧体とにより構成され、当該クリップ本体には挟持面と反対側の非挟持面に磁石格納用凹部を設けて同挟持面に薄壁部を形成すると共に磁石格納用凹部の開口縁の周囲に上記磁石固定用蓋部材の嵌着用凹部を設け、また当該嵌着用凹部の開口縁面面と磁石固定用蓋部材の周辺には相互に嵌合して同磁石固定用蓋部材を止着する嵌合突起及び嵌合孔を設け、磁石格納用凹部に対する磁石の格納及び嵌着用凹部に対する磁石固定用蓋部材の嵌着及び嵌合孔に対する嵌合突起の嵌着並びに磁石固定用蓋部材の外面と非挟持面に対する表面化粧体の貼着によりクリップ本体内に磁石を固定してなることを特徴とするマグネットクリップ。
【請求項２】
クリップ本体は扁平形状にされ且つ外周縁面は挟持面側から非挟持面側に向かうに従って拡がる傾斜のテーパー面にされたことを特徴とする請求項１記載のマグネットクリップ。
【考案の詳細な説明】
【技術分野】
【０００１】  本考案は、例えば磁性ボードの磁性壁面、冷蔵庫・金属製ロッカー等の磁性壁面に対してメモ紙片、提示用紙片等のシート状薄片を磁石の磁力により挟持固定する硬質プラスチック製のマグネットクリップに関する。
【背景技術】
【０００２】  従前、［特許文献１］によって、表裏二枚の軟質プラスチックシートの間に磁石を挟んだ状態でこれら表裏二枚の軟質プラスチックシートの外周縁を相互に溶着することにより完成された磁石内蔵形式の紙葉押止子が開示されている。しかしながら、この種の磁石内蔵形式の紙葉押止子は、軟質プラスチックシートにより全表面が被包されていて柔かな手触り感があり、ソフトで安全なイメージを有してという面で優れているが、軟質プラスチックシート同士の溶着縁が外周縁に目立って必ずしも良好な外観を呈しているとは言えない弱点であった。【０００３】  また、［特許文献２］及び［特許文献３］によって、硬質プラスチック製クリップ本体の挟持面に設けた凹部に永久磁石を、当該永久磁石の片面が露呈した状態にして嵌着固定した磁石露呈形式のマグネットクリップが開示されている。しかしながら、この種のマグネットクリップ及び装飾磁石は、磁石の磁力による挟持固定力が強いという面で優れているが、磁石の片面が露呈していて体裁が悪いイメージを有しているのみならず、例えば幼稚園児等の幼年児が無意識に若しくは意識的に舐めたり口に入れたりする危険性や、磁石が口の中で外れて飲み込んでしまう危険性を有していた。
【特許文献１】特公平３−７５０３９号公報
【特許文献２】登録実用第３０２２８５０号公報
【特許文献３】実公昭６０−１７３４４号公報
【考案の開示】
【考案が解決しようとする課題】
【０００４】  本考案は、上記したような現状に鑑み、上記の体裁が悪いイメージを払拭する工夫及び上記の危険性を回避する工夫並びに構成を簡易化する工夫等を施した新規のマグネットクリップを提供することを第１の目的とし、使用上取り扱いやすいマグネットクリップを提供することを第２の目的とする。
【課題を解決するための手段】
【０００５】  上記第１の目的を達成するために、請求項１に係るマグネットクリップは、永久磁石と、硬質プラスチック製のクリップ本体と、硬質プラスチック製の磁石固定用蓋部材と、表面化粧体とにより構成され、当該クリップ本体には挟持面と反対側の非挟持面に磁石格納用凹部を設けて同挟持面に薄壁部を形成すると共に磁石格納用凹部の開口縁の周囲に上記磁石固定用蓋部材の嵌着用凹部を設け、また当該嵌着用凹部の開口縁面面と磁石固定用蓋部材の周辺には相互に嵌合して同磁石固定用蓋部材を止着する嵌合突起及び嵌合孔を設け、磁石格納用凹部に対する磁石の格納及び嵌着用凹部に対する磁石固定用蓋部材の嵌着及び嵌合孔に対する嵌合突起の嵌着並びに上記磁石固定用蓋部材の外面と上記非挟持面に対する表面化粧体の貼着によりクリップ本体内に磁石を固定してなることを特徴とする。【０００６】  すなわち、本考案に係るマグネットクリップは、例えば、次のような方法により完成できる。【０００７】  先ず、硬質プラスチックを以てクリップ本体及び磁石固定用蓋部材を成形し、また表面に所定の印刷を設けたシートに抜き加工を施して表面化粧体を得た後、磁石格納用凹部に対して予め用意した永久磁石を格納すると共に嵌着用凹部に対して磁石固定用蓋部材を嵌着してこれら嵌着用凹部、磁石固定用蓋部材の抜去不能な嵌合状態及び嵌合突起と嵌合孔との抜去不能な嵌合状態を確保し、次いで磁石固定用蓋部材の外面と非挟持面に対して表面化粧体を貼着して嵌着用凹部に対する磁石固定用蓋部材の嵌着固定の補強とクリップ本体における非挟持面の化粧とを一挙に行うことによって完成できる。【０００８】  このようにして完成すれば、磁石が外に全く露呈しない製品の提供が可能になり、また挟持面には、上記従来の磁石露呈形式マグネットクリップよりは薄壁部を介している分だけ僅かに磁力が弱まるが、使用に全く支障がない強い挟持固定力を得ることが可能になる。【０００９】  また、上記第２の目的を達成するために、請求項２に係るマグネットクリップは、請求項１に係るマグネットクリップに関し、クリップ本体が扁平形状にされ、且つ外周縁面が挟持面側から非挟持面側に向かうに従って拡がる傾斜のテーパー面にされたことを特徴とする。【００１０】  したがって、磁性ボードの磁性壁面、冷蔵庫・金属製ロッカー等の磁性壁面からメモ紙片、提示用紙片等のシート状薄片を取り外すなどの場合には、上記テーパー面によって形成された張出縁に指を掛けるようにして取去することが可能になる。
【考案の効果】
【００１１】  請求項１に係るマグネットクリップは、上記のような方法により簡単且つ容易に完成しうる効果があるは勿論であるが、特に上記のような構成にしたので、これによれば磁石が外に全く露呈しない製品が提供できる。しかも、上記したような体裁が悪いイメージを払拭することができ且つ上記したような危険性を回避することができる。また、本考案マグネットクリップあっては、表面化粧体が、一品で、嵌着用凹部に対する磁石固定用蓋部材の嵌着固定を補強する機能とクリップ本体における非挟持面を化粧する機能を果たして構成簡略化に貢献するのみならずク永久磁石は、磁石固定用蓋部材と嵌着用凹部との嵌着及び嵌合孔と嵌合突起との嵌合並びに表面化粧体による隠し押えにより三重に固定された状態でリップ本体内に格納でき、外れる危惧が寸毫もなく、安全である。【００１２】  また、請求項２に係るマグネットクリップは、クリップ本体が扁平形状にされ且つ外周縁面が挟持面側から非挟持面側に向かうに従って拡がる傾斜のテーパー面にされたので、磁性ボードの磁性壁面、冷蔵庫・金属製ロッカー等の磁性壁面からメモ紙片、提示用紙片等のシート状薄片を取り外すなどの場合には、上記テーパー面によって形成された張出縁に指を掛けて容易に取去することができる利点がある。
【考案を実施するための最良の形態】
【００１３】  以下、本考案に係るマグネットクリップの実施の態様を図面に基づいて説明する。なお、図１は全体を示す一部切截斜視図であり、図２は同じく一部切截正面図であり、図３は同じく使用状態で示す一部切截側面図であり、図４は同じく分解斜視図である。【００１４】  この実施の態様に係るマグネットクリップ１は、たとえば、図３に示すように磁性ボード等の磁性壁面１５にメモ紙片１６等を挟持固定するのに用いるものであって、円盤型のフェライト磁石２と、硬質プラスチック成形により得たクリップ本体３と、硬質プラスチック成形により得た磁石固定用蓋部材４と、所定の印刷（図示せず）を表面に設けたシートに抜き加工を施すことにより得た表面化粧体５とにより構成されている。なお、表面化粧体５は、紙、樹脂フィルム、布等の小片であっても、成形物等立体物であってもよい。また、フェライト磁石は角型のものを用いても実施できる。【００１５】  上記クリップ本体３には、挟持面６と反対側の非挟持面７に磁石格納用凹部８を設けて同挟持面６に薄壁部９を形成すると共に磁石格納用凹部８の開口縁の周囲に磁石固定用蓋部材４の嵌着用凹部１０を周設してある。薄壁部９は、できるだけ薄くすることでが望ましい。【００１６】  また、上記嵌着用凹部１０の開口縁面と磁石固定用蓋部材４の周辺には、相互に嵌合して同磁石固定用蓋部材４を止着する４対の嵌合突起１１及び嵌合孔１２を設けてある。【００１７】  そして、磁石格納用凹部８に対してフェライト磁石３を格納した後に、嵌着用凹部１０に対して磁石固定用蓋部材４を嵌着し且つ嵌合孔１２に嵌合突起１１を嵌合することによってクリップ本体３内にフェライト磁石２を固定する。この場合、磁石固定用蓋部材４と嵌着用凹部１０との嵌着及び嵌合孔１２と嵌合突起１１との嵌合は、押し込む作業だけで抜け外れないようにしてある。勿論、接着剤等を用いてより固定することができる。【００１８】  さらに、上記磁石固定用蓋部材４の外面と上記非挟持面７に対して表面化粧体５を貼着して当該非挟持面７を化粧すると共に同表面化粧体５により磁石固定用蓋部材４を隠し押えて補強する。すなわち、磁石固定用蓋部材４は、磁石固定用蓋部材４と嵌着用凹部１０との嵌着及び嵌合孔１２と嵌合突起１１との嵌合並びに表面化粧体５による隠し押えにより三重に固定され、クリップ本体３内にはフェライト磁石２が堅牢に挟持固定される。【００１９】  なお、図中符号１３は、非挟持面７の外周に設けられた凸縁であって、表面化粧体５を所謂落し込み状態にしてその外縁から剥がれ出し難くしてある。また、上記表面化粧体５は、図には示していないが、裏面に感圧接着剤が塗布され、簡単に貼り付けできるようにしてある。
【図面の簡単な説明】
【００２０】
【図１】図１は全体を示す一部切截斜視図である。
【図２】同じく一部切截正面図である。
【図３】同じく一部切截側面図である。
【図４】同じく分解斜視図である。
【符号の説明】
【００２１】  １  実施の態様に係るマグネットクリップ
２  フェライト磁石
３  クリップ本体
４  磁石固定用蓋部材
５  表面化粧体
６  挟持面
７  非挟持面
８  磁石格納用凹部
９  薄壁部
１０  嵌着用凹部
１１  嵌合突起
１２  嵌合孔
１３  凸縁
１４  テーパー面
１５  磁性壁面
１６  メモ紙片
【図１】
0003112475.tif 000003
【図２】
0003112475.tif 000004
【図３】
0003112475.tif 000005
【図４】
0003112475.tif 000006